(57)【要約】【課題】煩雑な設定をすることなく所定の時間以降の割引販売を実行できるようにする。【解決手段】読み取ったコードシンボルに含まれる情報を取得し、この情報に含まれている商品コードに対応する単価を取得して（ステップＳ３，Ｓ１４）、取得した単価に基づいて商品販売データ処理を実行し、また、取得した情報に含まれている設定時刻を現在時刻が経過することによる時刻イベントの発生の有無を判断し（ステップＳ１２）、時刻イベントが発生していると判断した場合（ステップＳ１２のＹ）、取得した情報に設定時刻と共に含まれている割引処理のための割引情報に基づいて、商品販売データ処理において割引処理（ステップＳ１６，Ｓ１７）を実行するようにした。【選択図】図６
2007114946.tif 000002
【特許請求の範囲】
【請求項１】
コードシンボルを読み取るコード読取装置と、
日時を計時する計時手段と、
前記コード読取装置が読み取ったコードシンボルに含まれている情報を取得する手段と、
前記取得した情報に含まれている商品コードに基づいて、商品コードに対応付けて単価を記憶する商品データファイルを検索して対応する単価を取得し、取得した単価に基づいて商品販売データ処理を実行する手段と、
前記計時手段が計時する現在時刻が前記取得した情報に含まれている設定時刻を経過することによる時刻イベントの発生の有無を判断する手段と、
前記時刻イベントが発生していると判断した場合、前記取得した情報に前記設定時刻と共に含まれている割引処理のための割引情報に基づいて、前記商品販売データ処理において割引処理を実行する手段と、
を備える商品販売データ処理装置。
【請求項２】
前記コード読取装置でのコードシンボルの読み取りに応じて報知音を出力する手段を備え、前記割引処理を実行する場合としない場合とで前記報知音を異ならせる、請求項１記載の商品販売データ処理装置。
【発明の詳細な説明】
【技術分野】
【０００１】
本発明は、ＥＣＲ（Ｅｌｅｃｔｒｏｎｉｃ  Ｃａｓｈ  Ｒｅｇｉｓｔｅｒ：電子式キャッシュレジスタ）やＰＯＳ（Ｐｏｉｎｔ  ｏｆ  Ｓａｌｅｓ：販売時点管理）端末等の商品販売データ処理装置に関する。
【背景技術】
【０００２】
従来、スーパーマーケット等の店舗では、時間の経過に応じて商品の割引販売を行う場合、商品に付されるバーコードが利用されている。
【０００３】
例えば、特許文献１には、商品コード番号とその商品の製造年月日データとを組み合わせてコードシンボル化したバーコードを商品に付して、そのバーコードを読み取った時に製造年月日から所定の日数が経過している場合に割引処理を実行するようにした技術が開示されている。
【０００４】
【特許文献１】特開昭６３−１８８２９８号公報
【発明の開示】
【発明が解決しようとする課題】
【０００５】
ところが、時間の経過に応じた割引販売としては、毎日、所定の時刻以降に割引販売を実施する形態が考えられる。例えば、弁当や惣菜等の商品を賞味期限等に関係なく毎日閉店時刻の３０分前から割引販売するというような場合である。
【０００６】
特許文献１に記載された技術は、製造年月日からの期間を認識するものであるため、このような割引販売の形態を実施するためには、個々の商品毎に異なる期間を設定するという非常に煩雑な作業が必要となってしまう。
【０００７】
本発明の目的は、煩雑な設定をすることなく所定の時刻以降の割引販売を実行できるようにすることである。
【課題を解決するための手段】
【０００８】
本発明の商品販売データ処理装置は、コードシンボルを読み取るコード読取装置を備え、前記コード読取装置が読み取ったコードシンボルに含まれている情報を取得し、前記取得した情報に含まれている商品コードに基づいて、商品コードに対応付けて単価を記憶する商品データファイルを検索して対応する単価を取得し、取得した単価に基づいて商品販売データ処理を実行し、また、日時を計時する計時手段が計時する現在時刻が前記取得した情報に含まれている設定時刻を経過することによる時刻イベントの発生の有無を判断し、前記時刻イベントが発生していると判断した場合、前記取得した情報に前記設定時刻と共に含まれている割引処理のための割引情報に基づいて、前記商品販売データ処理において割引処理を実行するようにした。
【発明の効果】
【０００９】
本発明によれば、煩雑な設定を行うことなく所定の時刻以降に割引販売を実行することができる。
【発明を実施するための最良の形態】
【００１０】
本発明の実施の一形態を、図１ないし図６に基づいて説明する。本実施の形態の商品販売データ処理装置は、スーパーマーケットで使用されるＰＯＳ端末への適用例である。
【００１１】
図１は、ＰＯＳ端末１を示す斜視図である。店舗の精算場所に配設されるＰＯＳ端末１は、ハウジング２を備え、ハウジング２内に各部を収納し、一方でハウジング２の外部に各部を露出させている。ハウジング２の上面には、キーボード３、キャッシャ用表示器４、客用表示器５、レシート発行口６、および客から預かった札を一時的に置いておくための札置き台７が配置されている。そして、ＰＯＳ端末１の操作者であるキャッシャから見てキャッシャ用表示器４が正面に、キーボード３はその下方に、レシート発行口６および札置き台７はその左方にそれぞれ配置され、キャッシャが商品情報等を入力しやすいようにまとめられている。また、客用表示器５は、キャッシャ用表示器４よりも高い位置に設けられ、客に見やすいように配置されている。ハウジング２の内部には、レシートを印字するためのプリンタ６ａ（図４参照）が設けられている。
【００１２】
また、ＰＯＳ端末１は、買物客から受領した硬貨や紙幣を保管しておくための装置であるドロワ８の上に載置されている。当該ドロワ８の内部には、引出し９が設けられており、締め処理時には手前に引き出され、その中に買物客から受領した金銭等を収納する。
【００１３】
そして、ＰＯＳ端末１には、コードシンボルを光学的に読み取るコード読取装置であるコードスキャナ１０が接続されている。本実施の形態のコードスキャナ１０は、ＪＡＮやＣｏｄｅ１２８等の複数種類のコード体系で記述されたコードシンボルを読取対象としたものである。
【００１４】
次に、コードスキャナ１０が読み取る各種コードについて図２および図３に基づいて説明する。
【００１５】
図２は、商品コード３１を示す平面図である。商品コード３１は、１２桁の商品コード番号３２がＪＡＮ形式でエンコードされてコードシンボル化されたものであり、商品コード番号３２を示す数字も併せて印字されている。なお、１３桁目の数字は、誤読を防止するための検査数字である。割引販売を実施しないで通常販売を行う商品については、この商品コード３１のラベルが付されて店舗に陳列される。
【００１６】
図３は、組合せコード３６を示す平面図である。図３（ａ）に示す組合せコード３６は、商品コード番号３２、フラグ３３、割引処理のための割引情報３４である割引額３４ａ、割引処理の実行が開始される設定時刻３５が組み合わされてＣｏｄｅ１２８形式でエンコードされてコードシンボル化されたものであり、これらの情報を示す数字も併せて印字されている。なお、末尾の英字は、誤読を防止するための検査数字をＣｏｄｅ１２８形式に基づき英字で示したものである。図３（ｂ）に示す組合せコード３６は、割引情報３４として割引率３４ｂが用いられたものである。
【００１７】
ここで、フラグ３３および割引情報３４について説明する。フラグ３３は、４桁の数字の割引情報３４が割引額３４ａであるのかそれとも割引率３４ｂであるのかを「０」または「１」で示すものである。例えば、図３（ａ）では、フラグ３３は「０」であるため、割引情報３４は割引額３４ａを示し、「０１００」は、割引額３４ａが１００円であることを示している。つまり商品コード番号３２が特定する商品の単価から１００円減額するものである。一方、図３（ｂ）では、フラグ３３は「１」であるため、割引情報３４は割引率３４ｂを示し、「０１００」は、割引率３４ｂが０．１００、つまり１０％であることを意味し、商品コード番号３２が特定する商品の単価に対して１０％引きであることを示している。
【００１８】
また、設定時刻３５も４桁の数字であり、「１７００」は１７：００を示すものである。割引情報３４に基づく割引処理が１７：００以降実行されることを示している。そして、キャッシャおよび買物客は「１７００」という数字を見ることによって、割引販売が１７：００以降に行われるということを認識することもできる。つまり、設定時刻３５を示す数字は、割引販売の開始時刻をキャッシャおよび買物客に対して認識させる表示としても機能する。
【００１９】
なお、本実施の形態では、商品コード３１および組合せコード３６をそれぞれＪＡＮおよびＣｏｄｅ１２８でコードシンボル化しているが、このコード形式に限られることはない。
【００２０】
図４は、ＰＯＳ端末１に備えられる各部の電気的接続を示すブロック図である。ＰＯＳ端末１は、各種演算や各部の制御を実行するＣＰＵ（Ｃｅｎｔｒａｌ  Ｐｒｏｃｅｓｓｉｎｇ  Ｕｎｉｔ）５１ａ、コンピュータプログラム等を格納するＲＯＭ(Ｒｅａｄ  Ｏｎｌｙ  Ｍｅｍｏｒｙ)５１ｂおよび各種データを書き換え自在に格納するＲＡＭ（Ｒａｎｄｏｍ  Ａｃｃｅｓｓ  Ｍｅｍｏｒｙ）５１ｃ等で構成される制御部５１を備えている。ＲＡＭ５１ｃは、可変的なデータを書き換え自在に格納する機能を利用して各種ワークエリアとしての機能を果たし、例えば売上バッファや印字バッファが形成される。
【００２１】
制御部５１には、バスライン５２を介して、キーボード３、キャッシャ用表示器４、客用表示器５、プリンタ６ａ、ホストコンピュータ（図示しない）との間でデータ通信を実行する通信インターフェイス５３、ドロワ８、コードスキャナ１０等が接続されている。プリンタ６ａは、レシート／ジャーナルプリンタであり、商品販売データ処理に伴い、取引単位でレシートを発行するとともに、並行してジャーナル用紙への印字を行うものである。
【００２２】
また、制御部５１には、バスライン５２を介して２個のブザー５４ａ，５４ｂが接続されている。このブザー５４ａ，５４ｂは明確に区別し得る程度に異ならせた周波数の読取音Ａ，Ｂをそれぞれ発するように設定されている。音を出力するスピーカ５５もバスライン５２を介して接続されている。なお、ブザーは必ずしも２個備えさせる必要はなく、制御部５１にバスライン５２を介してブザーを１個だけ接続させ、このブザーを鳴動させることで周波数の異なる読取音Ａ，Ｂを発生させてもよい。また、読取音Ａ，Ｂは、その差異が区別できれば周波数の違いに限定されないことは言うまでもなく、例えば、音色、音長、発生される音と音との間隔等を異ならせてもよい。
【００２３】
さらに、制御部５１には、現在時刻を計時するための計時手段であるタイマ５６もバスライン５２を介して接続されている。
【００２４】
そして、制御部５１を動作させる制御プログラムや商品コード番号３２に対応付けて商品名や単価等を格納する商品データファイルＦ１（図５参照）等が格納されているＨＤＤ（Ｈａｒｄ  Ｄｉｓｃ  Ｄｒｉｖｅ）５７もバスライン５２を介して制御部５１に接続されている。ＨＤＤ５７には、制御プログラム等の他、売上ファイルＦ２が格納されている。売上ファイルＦ２は、商品販売データ処理に伴い作成される商品販売データを記憶するものである。なお、ＲＡＭ５１ｃの売上バッファも同様のデータ構成である。
【００２５】
また、ＨＤＤ５７には、「割引です」という音声データが記憶された音声データファイルＦ３が格納されており、ＰＯＳ端末１起動時にＲＡＭ５１ｃに展開される。この音声データはスピーカ５５を通じて音声出力される。
【００２６】
図５は、商品データファイルＦ１を示す模式図である。商品データファイルＦ１は、商品コード番号３２に対応付けて商品名や単価等を格納するファイルである。ＨＤＤ５７に格納されている商品データファイルＦ１は、ＰＯＳ端末１の起動時にＲＡＭ５１ｃに展開されて使用される。なお、商品データファイルＦ１は、ＰＯＳ端末１とデータ通信を実行するストアコンピュータ（図示しない）によって逐次自動更新される。
【００２７】
次に、ＨＤＤ５７に格納された制御プログラムが制御部５１に各部を制御して実行させる処理について説明する。
【００２８】
図６は、制御部５１が実行する商品販売データ処理の流れを示すフローチャートである。まず、コードスキャナ１０による商品コード３１の読み取りに待機する（ステップＳ１）。ここで、商品コード３１の読み取りがあったと判定されると（ステップＳ１のＹ）、ブザー５４ａを鳴動させて読取音Ａを発生させ（ステップＳ２）、読み取った商品コード３１に含まれている情報である商品コード番号３２を取得する。そして、商品データファイルＦ１を検索して、商品コード番号３２に対応する商品名、単価等の商品データを取得し（ステップＳ３）、取得された商品データに基づく商品販売データをＲＡＭ５１ｃの売上バッファに記憶し、商品名や単価等の商品データをキャッシャ用表示器４および客用表示器５に表示する（ステップＳ４）。
【００２９】
一方、コードスキャナ１０によって、商品コード３１ではなく（ステップＳ１のＮ）、組合せコード３６の読み取りが行われた場合（ステップＳ１１のＹ）、読み取られた組合せコード３６に含まれる情報である設定時刻３５を取得して、この設定時刻３５をタイマ５６が計時する現在時刻が経過しているか否かを判断する（ステップＳ１２）。
【００３０】
タイマ５６が計時する現在時刻が設定時刻３５を経過していないと判断された場合（ステップＳ１２のＮ）、ブザー５４ａを鳴動させて読取音Ａを発生させて（ステップＳ２）、この組合せコード３６に含まれる商品コード番号３２を取得し、この商品コード番号３２に基づいて商品データファイルＦ１を検索し（ステップＳ３）、取得した単価に基づいて商品販売データ処理を実行する。つまり、コードスキャナ１０が商品コード３１を読み取ったときと同様の処理が実行される。
【００３１】
一方で、ステップＳ１２で、現在時刻が設定時刻３５を経過していると判断された場合には（ステップＳ１２のＹ）、ブザー５４ｂを鳴動させて読取音Ｂを発生させ、ＲＡＭ５１ｃに展開されている「割引です」という音声データをスピーカ５５から出力させる（ステップＳ１３）。つまり、組合せコード３６を読み取った場合で、さらに設定時刻３５以降であった場合にのみ、ステップ１３の処理が実行されて割引が報知される。次いで、この組合せコード３６に含まれる商品コード番号３２対応する商品データを商品データファイルＦ１から取得する（ステップＳ１４）。
【００３２】
そして、ステップＳ１１で読み取った組合せコード３６に含まれるフラグ３３が「０」であるか否かを判定する（ステップＳ１５）。
【００３３】
フラグ３３が「０」であった場合（ステップＳ１５のＹ）、組合せコード３６の割引情報３４は割引額３４ａを示すことになるため（図３（ａ）参照）、ステップＳ１４で取得した商品の単価から割引額３４ａを減算する（ステップＳ１６：割引処理）。つまり、単価が５００円であり、割引額３４ａが「０１００」であれば、割引額３４ａの「０１００」は１００円を示すため、５００円から１００円減額して４００円とする割引処理が実行される。
【００３４】
また、ステップＳ１５で、フラグ３３が「０」ではなく（ステップＳ１５のＮ）、「１」であった場合、組合せコード３６の割引情報３４は割引率３４ｂを示すことになるため（図３（ｂ）参照）、ステップＳ１４で取得した単価から、この単価の割引率３４ｂ分の金額を減算する処理を実行する（ステップＳ１７：割引処理）。つまり、単価が５００円であり、割引率３４ｂが「０１００」であるならば、割引率３４ｂの「０１００」は１０％を示すため、単価５００円から５００円の１０％にあたる５０円を減額して４５０円とする割引処理が実行される。
【００３５】
ここで、割引処理の実行に伴って、割引情報３４の内容を音声により報知してもよい。その場合、フラグ３３および割引情報３４に対応付けられた音声データを音声データファイルＦ３に記憶させておく。この音声データは、例えば、フラグ３３「０」および割引情報３４「０１００」に対応付けて「１００円引きです」という音声データを記憶するものである。そして、この音声データをＲＡＭ５１ｃに展開させて、割引処理の実行に伴ってフラグ３３および割引情報３４に対応する音声データをスピーカ５５から音声出力されるようにする。このような割引情報３４の内容の音声報知により、割引額３４ａ等が具体的に買物客に伝達されるため、買物客にとっての利便性を向上させることができる。
【００３６】
ステップＳ１８では、商品名、単価、割引額等をキャッシャ用表示器４および客用表示器５に表示し、割引処理に基づく商品販売データをＲＡＭ５１ｃの売上バッファに記憶する。
【００３７】
ステップＳ１ないしＳ４およびステップＳ１１ないしＳ１８の処理は、キーボード３の預／現計キー（図示しない）が操作されて締めが宣言されたと判断されるまで（ステップＳ３１のＹ）、繰り返される。
【００３８】
キーボード３の預／現計キーが操作されて締めが宣言されたと判断されると（ステップＳ３１のＹ）、締め処理が実行される（ステップＳ３２）。この締め処理では、ＲＡＭ５１ｃの売上バッファに記憶された商品販売データに基づき販売合計金額等で構成される印字データが生成されてＲＡＭ５１ｃの印字バッファに記憶される。さらに、ドロワ８にドロワ開放信号が出力されて引出し９が開放される。そして、売上バッファに記憶された商品販売データは、ＨＤＤ５７の売上ファイルＦ２に記憶される。また、印字データは、プリンタ６ａによって印字されてレシート発行口６からレシートとして発行される。
【００３９】
このように本実施の形態によれば、商品に付された組合せコード３６を読み取った時（現在時刻）が、その組合せコード３６に含まれる設定時刻３５を経過していれば、その組合せコード３６に含まれる割引情報３４に基づいた割引処理が実行されるため、ＰＯＳ端末１等に対する煩雑な設定作業等を必要とせずに、設定時刻３５以降の割引販売を簡便に行うことができる。また、コードの読み取りに際して、キャッシャは割引販売の開始時間やその割引額３４ａ等を意識して作業する必要がないため、キャッシャに対する労働負担を軽減させることができる。
【００４０】
そして、割引処理が実行される場合にのみ、割引処理が実行されない場合と明確に異なる読取音が発生されるとともに音声による報知も行われるため、キャッシャおよび買物客に対して割引販売の実施を報知することができる。特に買物客に割引処理の実行が報知されることで、本当に割引が実施されているどうか判断できないといった疑問を買物客に対して抱かせることがなくなり、買物客の店舗に対する信頼感も増大させることができる。
【図面の簡単な説明】
【００４１】
【図１】本発明の実施形態のＰＯＳ端末を示す斜視図である。
【図２】商品コードを示す平面図である。
【図３】組合せコードを示す平面図である。
【図４】ＰＯＳ端末に備えられる各部の電気的接続を示すブロック図である。
【図５】商品データファイルを示す模式図である。
【図６】制御部が実行する商品販売データ処理の流れを示すフローチャートである。
【符号の説明】
【００４２】
１…商品販売データ処理装置（ＰＯＳ端末），１０…コード読取装置（コードスキャナ）３１…コードシンボル（商品コード），３２…商品コード（商品コード番号），３４…割引情報，３４ａ…割引額，３４ｂ…割引率，３５…設定時刻，３６…コードシンボル（組合せコード），５６…計時手段（タイマ）
【図１】
2007114946.tif 000003
【図２】
2007114946.tif 000004
【図３】
2007114946.tif 000005
【図４】
2007114946.tif 000006
【図５】
2007114946.tif 000007
【図６】
2007114946.tif 000008